(57)【要約】【課題】２つの側板の奥行寸法が異なるキャビネットであって、使いやすさと収納容量とを両立できるキャビネットを提供すること。【解決手段】キャビネットは、第１の側板、第２の側板、背板、天板および正面扉を有する。第１の側板の奥行寸法は、第２の側板の奥行寸法よりも大きい。正面扉は、第２の側板側に配置された、第２の側板と平行な回転軸を軸として回動可能である。正面扉は、正面扉を閉じた状態の時に、第１の側板の前端部と第２の側板の前端部とを繋いでできる面よりも外方へ膨出している膨出部を含む。正面扉の裏側には、収納部が設けられている。【選択図】図１
2014117502.tif 000002
【特許請求の範囲】
【請求項１】
第１の側板と、
前記第１の側板と平行に配置された第２の側板と、
前記第１の側板および前記第２の側板の後端部に、前記第１の側板および前記第２の側板に対して垂直となるように配置された背板と、
前記第１の側板、前記第２の側板および前記背板の上端部に配置された天板と、
前記第１の側板、前記第２の側板および前記天板により形成された開口部を開閉可能に閉塞する正面扉と、を有し、
前記第１の側板の奥行寸法は、前記第２の側板の奥行寸法よりも大きく、
前記正面扉は、前記第２の側板側に配置された、前記第２の側板と平行な回転軸を軸として回動可能であり、
前記正面扉は、前記正面扉を閉じた状態の時に、前記第１の側板の前端部と前記第２の側板の前端部とを繋いでできる面よりも外方へ膨出している膨出部を含み、
前記正面扉の裏側に収納部が設けられている、
キャビネット。
【請求項２】
前記第１の側板、前記第２の側板および前記背板の下端部に配置された底板をさらに有し、
前記底板の奥行寸法は、前記第２の側板の奥行寸法以下である、
請求項１に記載のキャビネット。
【請求項３】
請求項１または請求項２に記載のキャビネットを１つ含む複数のキャビネットが幅方向に並んで配置され、
前記幅方向の一方の端部における奥行き寸法は、前記第１の側板の奥行寸法と略同じであり、
前記幅方向の他方の端部における奥行き寸法は、前記第２の側板の奥行寸法と略同じである、
収納ユニット。
【発明の詳細な説明】
【技術分野】
【０００１】
本発明は、例えばキッチンなどに設置されるキャビネットおよび収納ユニットに関する。
【背景技術】
【０００２】
近年、キッチンなどにおいて、複数のキャビネットを壁などに沿って並べた収納ユニットが設置されることが多い。このような収納ユニットでは、美観の観点からは、奥行寸法が同一のキャビネットを並べるのが好ましい。しかしながら、種々の理由により、奥行寸法が互いに異なるキャビネットを組み合わせて配置しなければならないことがある。奥行寸法が異なる２つのキャビネットを隣接して配置すると、奥行寸法の大きいキャビネットの側板が露出して段差ができてしまうため、美観および安全性の観点から好ましくない。このような問題を解消できる手段として、特許文献１では、奥行寸法の異なる２つのキャビネットの間に、２つの側板の奥行寸法が互いに異なるキャビネットを配置することが提案されている。
【０００３】
図８は、特許文献１に記載のキャビネット１０を示す斜視図である。図８に示されるように、キャビネット１０は、奥行寸法Ｄ１の大きいキャビネット２０と奥行寸法Ｄ２の小さいキャビネット３０との間に配置されている。キャビネット１０の一方の側板１１の奥行寸法は、隣接するキャビネット２０の側板の奥行寸法Ｄ１と同じである。また、キャビネット１０の他方の側板１２の奥行寸法は、隣接するキャビネット３０の側板の奥行寸法Ｄ２と同じである。したがって、側板１１の奥行寸法は、側板１２の奥行寸法よりも大きい。正面扉１３は、２つの側板１１，１２の前端部を繋いでできる平板状の扉であり、奥行寸法が短い側板１２の前端部で回動可能に軸支されている。
【０００４】
図８に示されるように、正面扉１３を閉じた状態のとき、正面扉１３は、背板１４に対して平行ではなく、傾斜している。したがって、奥行寸法の異なる２つのキャビネット２０，３０の間にキャビネット１０を配置することで、各キャビネットの前面が滑らかに連続するため、前述の美観および安全性の問題を解消することができる。
【先行技術文献】
【特許文献】
【０００５】
【特許文献１】特開２００９−１６０２６０号公報
【発明の概要】
【発明が解決しようとする課題】
【０００６】
図９は、特許文献１に記載のキャビネット１０の使用態様の例を示す、キャビネット１０の水平方向の断面図である。
【０００７】
まず、特許文献１に記載のキャビネット１０の使用態様としては、図９Ａに示されるように、奥行を最大限に利用して台形状の棚板１５を設置することが考えられる。しかしながら、このように大きな棚板１５を設置してしまうと、奥に置いた被収納物に手が届きにくくなってしまう。
【０００８】
そこで、被収納物に手を届きやすくするため、図９Ｂに示されるように、棚板１５の奥行きを小さくする代わりに、正面扉１３の裏側に収納部１６を設けることが考えられる。しかしながら、特許文献１に記載のキャビネット１０では、収納部１６の形状が三角形状になってしまうため、収納部１６の隅の空間を有効に利用することができない。
【０００９】
一方、使いやすさだけに着目するのであれば、図９Ｃに示されるように、正面扉１３の裏側に収納部１６を設けずに、棚板１５の奥行きを小さくすることも考えられる。しかしながら、このように棚板１５を小さくしてしまうと、収納容量が低減してしまう。
【００１０】
以上のように、特許文献１に記載のキャビネット１０では、使いやすさと収納容量とを両立させることが困難であった。
【００１１】
本発明は、かかる点に鑑みてなされたものであり、２つの側板の奥行寸法が異なるキャビネットであって、使いやすさと収納容量とを両立できるキャビネットを提供することを目的とする。また、本発明は、このキャビネットを含む収納ユニットを提供することも目的とする。
【課題を解決するための手段】
【００１２】
本発明者は、正面扉の形状を所定の形状とすることで、上記課題を解決できることを見出し、さらに検討を加えて本発明を完成させた。
【００１３】
すなわち、本発明は、以下のキャビネットおよび収納ユニットに関する。
［１］第１の側板と、前記第１の側板と平行に配置された第２の側板と、前記第１の側板および前記第２の側板の後端部に、前記第１の側板および前記第２の側板に対して垂直となるように配置された背板と、前記第１の側板、前記第２の側板および前記背板の上端部に配置された天板と、前記第１の側板、前記第２の側板および前記天板により形成された開口部を開閉可能に閉塞する正面扉と、を有し、前記第１の側板の奥行寸法は、前記第２の側板の奥行寸法よりも大きく、前記正面扉は、前記第２の側板側に配置された、前記第２の側板と平行な回転軸を軸として回動可能であり、前記正面扉は、前記正面扉を閉じた状態の時に、前記第１の側板の前端部と前記第２の側板の前端部とを繋いでできる面よりも外方へ膨出している膨出部を含み、前記正面扉の裏側に収納部が設けられている、キャビネット。
［２］前記第１の側板、前記第２の側板および前記背板の下端部に配置された底板をさらに有し、前記底板の奥行寸法は、前記第２の側板の奥行寸法以下である、［１］に記載のキャビネット。
［３］［１］または［２］に記載のキャビネットを１つ含む複数のキャビネットが幅方向に並んで配置され、前記幅方向の一方の端部における奥行き寸法は、前記第１の側板の奥行寸法と略同じであり、前記幅方向の他方の端部における奥行き寸法は、前記第２の側板の奥行寸法と略同じである、収納ユニット。
【発明の効果】
【００１４】
本発明によれば、２つの側板の奥行寸法が異なるキャビネットであって、使いやすさと収納容量とを両立できるキャビネットを提供することができる。本発明に係るキャビネットを含む収納ユニットは、各キャビネットの前面が滑らかに連続しているため、美観および安全性にも優れている。
【図面の簡単な説明】
【００１５】
【図１】図１は、本発明の一実施の形態に係るキャビネットを示す斜視図である。
【図２】図２Ａ，Ｂは、図１に示されるキャビネットを示す水平方向の断面図である。
【図３】図３は、図１に示されるキャビネットを含む収納ユニットの使用態様を示す斜視図である。
【図４】図４Ａは、変形例に係るキャビネットの正面透視図であり、図４Ｂは、変形例に係るキャビネットの右側面透視図である。
【図５】図５Ａは、変形例に係るキャビネットの平面透視図であり、図５Ｂは、フレームを示す斜視図である。
【図６】図６Ａ〜Ｃは、接続金具の働きを説明するための変形例に係るキャビネットの断面模式図である。
【図７】図７Ａ〜Ｃは、本実施の形態に係る収納ユニットにおける、キャビネットの配置例を示す平面図である。
【図８】図８は、特許文献１に記載のキャビネットを示す斜視図である。
【図９】図９Ａ〜Ｃは、特許文献１に記載のキャビネットの使用態様の例を示すキャビネットの断面図である。
【発明を実施するための形態】
【００１６】
以下、本発明に係る実施の形態について、図面を参照して詳細に説明する。
【００１７】
１．キャビネット
図１は、本発明の一実施の形態に係るキャビネット２００を示す斜視図である。図２は、本実施の形態に係るキャビネット２００を示す水平方向の断面図である。図２Ａは、正面扉を閉じた状態の断面図であり、図２Ｂは、正面扉を開いた状態の断面図である。
【００１８】
図１および図２に示されるように、本実施の形態に係るキャビネット２００は、隣接して配置されるキャビネット２０，３０とともに、収納ユニット１００を構成する。図３は、本実施の形態に係る収納ユニット１００の使用態様を示す斜視図である。
【００１９】
図１〜３に示されるように、本実施の形態に係るキャビネット２００は、第１の側板２１０、第２の側板２２０、背板２３０、天板２４０、底板２５０、正面扉２６０、棚板２７０および収納部２８０を有する。
【００２０】
第１の側板２１０および第２の側板２２０は、互いに平行に配置されている長方形状の平板である。第１の側板２１０および第２の側板２２０の奥行寸法Ｄ１，Ｄ２は、互いに異なる。本明細書では、より大きい奥行寸法Ｄ１の側板を第１の側板２１０とし、より小さい奥行寸法Ｄ２の側板を第２の側板２２０とする。たとえば、第１の側板２１０の奥行寸法Ｄ１は、６５ｃｍ程度であり、第２の側板２２０の奥行寸法Ｄ２は、４５ｃｍ程度である。第１の側板２１０および第２の側板２２０の高さ寸法は、同一である。たとえば、第１の側板２１０および第２の側板２２０の高さ寸法は、２３５ｃｍ程度である。第１の側板２１０および第２の側板２２０は、いずれもその後端部が背板２３０に固定されているため、第１の側板２１０の前端部は、第２の側板２２０の前端部よりも前方（背板２３０から離れる方向）に位置する。
【００２１】
背板２３０は、第１の側板２１０および第２の側板２２０の後端部に、第１の側板２１０および第２の側板２２０に対して垂直となるように配置されている長方形状の平板である。ここで「第１の側板２１０および第２の側板２２０の後端部」とは、第１の側板２１０および第２の側板２２０の後側の縁だけでなく、その近傍も含む意味である。背板２３０の高さ寸法は、第１の側板２１０および第２の側板２２０の高さ寸法と同一である。たとえば、背板２３０の幅寸法は、６０ｃｍ程度である。
【００２２】
天板２４０は、第１の側板２１０、第２の側板２２０および背板２３０の上端部に配置されている平板である。ここで「第１の側板２１０、第２の側板２２０および背板２３０の上端部」とは、第１の側板２１０、第２の側板２２０および背板２３０の上側の縁だけでなく、その近傍も含む意味である。通常、天板２４０は、第１の側板２１０、第２の側板２２０および背板２３０に対して垂直となるように配置される。天板２４０の形状は、この後説明する正面扉２６０の形状に応じて決まる。本実施の形態では、天板２４０の形状は、長方形の１つの角を切り落とすことで形成される五角形状である。
【００２３】
底板２５０は、第１の側板２１０、第２の側板２２０および背板２３０の下端部に配置されている平板である。ここで「第１の側板２１０、第２の側板２２０および背板２３０の下端部」とは、第１の側板２１０、第２の側板２２０および背板２３０の下側の縁だけでなく、その近傍も含む意味である。したがって、キャビネット２００を設置したときに、底板２５０は、キャビネット２００が設置されている場所の床に接触していなくてもよい。通常、底板２５０は、第１の側板２１０、第２の側板２２０および背板２３０に対して垂直となるように配置される。底板２５０の奥行寸法は、背板２３０と正面扉２６０との間に収まれば特に限定されないが、第２の側板２２０の奥行寸法Ｄ２以下であることが好ましい。このようにすることで、図３に示されるように、ユーザーＵがキャビネット２００内に入り込み、ウォークインクローゼットのようにキャビネット２００内を一度に見渡すことが可能となる。本実施の形態では、底板２５０の奥行寸法は、第２の側板２２０の奥行寸法Ｄ２と同じである。なお、キャビネット２００は、底板２５０を有していなくてもよい。この場合は、キャビネット２００が設置されている場所の床が底板２５０の代わりとなる。ここでは図示しないが、キャビネット２００が底板２５０を有しない場合は、キャビネット２００内にキャビネットワゴンなどを取り出し可能に配置することもできる。
【００２４】
正面扉２６０は、第１の側板２１０、第２の側板２２０、天板２４０および底板２５０により形成された収納空間の前方方向に開く開口部を開閉可能に閉塞する扉である。正面扉２６０は、奥行寸法の小さい第２の側板２２０側（好ましくは第２の側板２２０の前端部近傍）に配置された、第２の側板２２０と平行な回転軸を軸として回動可能となるように軸支されている。本実施の形態では、正面扉２６０は、ヒンジ２６１を介して第２の側板２２０の前端部に固定されている。
【００２５】
正面扉２６０は、正面扉２６０を閉じた状態の時に第１の側板２１０側に位置する正面部２６２と、第２の側板２２０側に位置する接続部２６３とを含む。正面部２６２は、正面扉２６０を閉じた状態の時に第１の側板２１０に対して垂直となるように形成される。本実施の形態では、正面部２６２は、長方形状の略平板である。
【００２６】
一方、接続部２６３は、正面部２６２と第２の側板２２０の前端部とを接続するように形成される。ここで「正面部２６２と第２の側板２２０の前端部とを接続する」とは、接続部２６３の第２の側板２２０側の端部と、第２の側板２２０の前端部とを近接させることを意味する。したがって、接続部２６３の第２の側板２２０側の端部と、第２の側板２２０の前端部との間に、正面扉２６０を回動させるために必要な隙間が形成されていてもよい。本実施の形態では、接続部２６３は、長方形状の略平板である。図２Ａに示されるように、この平板は、正面扉２６０を閉じた状態の時に背板２３０に対して傾斜している。なお、接続部２６３の形状は、正面部２６２と第２の側板２２０の前端部とを接続することができれば特に限定されず、例えば外観がＲ面の曲板であってもよい。
【００２７】
正面扉２６０は、正面扉２６０を閉じた状態の時に、第１の側板２１０の前端部と第２の側板２２０の前端部とを繋いでできる面（図２Ａにおいて一点鎖線で示す）よりも外方へ膨出している膨出部を含む。本実施の形態では、図２Ａに示されるように、正面部２６２および接続部２６３は、第１の側板２１０の前端部と第２の側板２２０の前端部とを繋いでできる面（一点鎖線）よりも外方へ膨出している膨出部である。
【００２８】
棚板２７０は、第１の側板２１０、第２の側板２２０、天板２４０および底板２５０により形成された収納空間内に配置された、被収納物を支持するための台である。棚板２７０の形状は、特に限定されないが、例えば長方形状の平板である。棚板２７０の奥行寸法は、第２の側板２２０の奥行寸法Ｄ２以下である。図２Ａ，Ｂに示されるように、本実施の形態では、棚板２７０の奥行寸法は、第２の側板２２０の奥行寸法Ｄ２と同じである。棚板２７０の数および配置位置は、特に限定されず、キャビネット２００の大きさや用途などに応じて適宜選択される。図３に示される例では、４枚の棚板２７０が、収納空間内に水平に配置されている。
【００２９】
収納部２８０は、正面扉２６０の裏側に設けられた、被収納物を収納するための部材である。収納部２８０の形状および数は、特に限定されず、キャビネット２００の大きさや用途などに応じて適宜選択される。本実施の形態のキャビネット２００では、膨出部（正面部２６２および接続部２６３）を含む所定形状の正面扉２６０を採用しているため、正面扉２６０の裏側にも大きな容量の収納部２８０を配置することができる。図３に示される例では、底面が台形状のドアポケット（収納部２８０）が、正面扉２６０の裏側に５つ固定されている。
【００３０】
本実施の形態に係るキャビネット２００では、膨出部（正面部２６２および接続部２６３）を含む所定形状の正面扉２６０を採用している。このため、図２Ｂに示されるように、正面扉２６０を９０°開けば、十分に広い開口間口Ｗを確保することができる。また、本実施の形態に係るキャビネット２００では、所定形状の正面扉２６０の裏側に大きな容量の収納部２８０を設けるとともに、棚板２７０の奥行寸法を第２の側板２２０の奥行寸法以下としている。このため、十分な収納容量を確保しつつ、被収納物の取り出しやすさ（置きやすさ）を実現している（図３参照）。
【００３１】
以上のように、本実施の形態に係るキャビネット２００は、２つの側板の奥行寸法が異なるキャビネットでありながら、使いやすさと収納容量とを両立することができる。
【００３２】
なお、これまでの説明では、正面扉２６０を閉じた状態の時に、正面部２６２が第１の側板２１０に対して垂直となるように配置されるキャビネット２００について説明してきたが、正面部２６２は、第１の側板２１０の前端部と第２の側板２２０の前端部とを繋いでできる面（図２Ａにおいて一点鎖線で示す）よりも外方へ膨出していれば、第１の側板２１０に対して垂直でなくてもよい。たとえば、正面部２６２は、第１の側板２１０に対して垂直な面よりも、背板２３０側に傾斜していてもよいし、外方（背板２３０の反対側）に傾斜していてもよい。
【００３３】
また、これまでの説明では、収納部２８０が正面扉２６０の裏面に直接固定されているキャビネット２００について説明してきたが、収納部２８０は正面扉２６０の裏面に直接固定されていなくてもよい。たとえば、図４〜６に示される本実施の形態の変形例に係るキャビネット２００’のように、収納部２８０は、正面扉２６０の裏側において、第２の側板２２０に軸支されたフレーム２８１に固定されていてもよい。
【００３４】
図４，５は、本実施の形態の変形例に係るキャビネット２００’の構成を示す図である。図４Ａは、キャビネット２００’の正面透視図であり、図４Ｂは、キャビネット２００’の右側面透視図である。図５Ａは、キャビネット２００’の平面透視図であり、図５Ｂは、フレーム２８１を示す斜視図である。なお、図５Ｂでは、収納部２８０を１つだけ図示している。
【００３５】
図４，５に示されるように、キャビネット２００’は、収納部２８０を支持するためのフレーム２８１をさらに有している。フレーム２８１は、例えば金属パイプを接続することで形成されている。フレーム２８１は、正面扉２６０用のヒンジ２６１とは別のヒンジ２８２を介して第２の側板２２０の前端部に固定されている。すなわち、フレーム２８１は、正面扉２６０とは独立して軸支されている。収納部２８０は、正面扉２６０ではなくフレーム２８１に固定されている。
【００３６】
変形例に係るキャビネット２００’では、正面扉２６０およびフレーム２８１は、それぞれ独立に軸支されているため、個別に回動させることが可能である。また、図５Ａに示されるように、接続金具２８３を用いて正面扉２６０とフレーム２８１とを接続することで、正面扉２６０およびフレーム２８１を一緒に回動させることも可能である。このとき、正面扉２６０の回転軸とフレーム２８１の回転軸とがずれているため、正面扉２６０の開き具合によって正面扉２６０とフレーム２８１との相対的な位置関係が変化する。このため、接続金具２８３の両端をそれぞれフレーム２８１および正面扉２６０に固定してしまうと、正面扉２６０を開けなくなってしまう。このような問題を解消する手段としては、接続金具２８３の少なくとも一方の端部をスライド可能に取り付けるか、接続金具２８３を伸縮可能にすることが考えられる。
【００３７】
図６は、一方の端部をスライド可能に取り付けることができる接続金具２８３を使用した場合における、接続金具２８３の働きを説明するためのキャビネット２００’の断面模式図である。図６Ａ〜Ｃでは、接続金具２８３の動きを見やすくするために収納部２８０を省略している。
【００３８】
図６Ａ〜Ｃに示されるように、接続金具２８３は、接続シャフト２８４およびガイドレール２８５からなる。ガイドレール２８５は、一方向に長い形状の貫通孔が設けられており、正面扉２６０の裏側に固定されている。接続シャフト２８４の一方の端部は、フレーム２８１に固定されている。
【００３９】
接続シャフト２８４の他方の端部には、ストッパー金具が設けられている。ストッパー金具は、貫通孔の最小幅よりも径が小さい円柱状の軸部と、ガイドレール２８５の貫通孔の最小幅よりも径が大きい円柱状の頭部とからなる。接続シャフト２８４と頭部の間に、軸部が位置する。軸部は、ガイドレール２８５の貫通孔内に位置しており、接続シャフト２８４およびストッパー金具の頭部は、ガイドレール２８５を挟むように位置している。このため、接続シャフト２８４の他方の端部は、貫通孔の長手方向にスライド可能な状態で、正面扉２６０の裏側に取り付けられる。
【００４０】
図６Ａ〜Ｃに示されるように、正面扉２６０を開閉すると、正面扉２６０に追従してフレーム２８１も移動する。変形例に係るキャビネット２００’では、正面扉２６０の回転軸とフレーム２８１の回転軸がずれているため、正面扉２６０の開き具合によって正面扉２６０とフレーム２８１との相対的な位置が変化する。図６Ａ〜Ｃに示される例では、接続シャフト２８４の一方の端部をガイドレール２８５に沿ってスライドさせることで、正面扉２６０とフレーム２８１との相対的な位置を変化させつつ、正面扉２６０に追従してフレーム２８１を移動させることを実現している。
【００４１】
以上のように、本実施の形態の変形例に係るキャビネット２００’では、正面扉２６０およびフレーム２８１は、それぞれ独立に軸支されているため、収納部２８０に物を収納しても正面扉２６０用のヒンジ２６１に負担がかからない。また、正面扉２６０と収納部２８０とが独立しているため、現場での組立施工および正面扉２６０の調整が容易である。
【００４２】
２．収納ユニット
本実施の形態に係るキャビネット２００は、図１〜３に示されるように、隣接して配置される１または２以上のキャビネット２０，３０とともに、収納ユニット１００を構成する。各キャビネットの用途は、互いに異なっていてもよく、特に限定されない。たとえば、第１のキャビネットは、食材を収納するためのキャビネットであり、第２のキャビネットは、家電機器を収納するためのキャビネットであり、第３のキャビネットは、食器を収納するためのキャビネットである。
【００４３】
本実施の形態に係る収納ユニット１００は、本実施の形態に係るキャビネット２００を１つ含む複数のキャビネットが幅方向に並んで配置された収納ユニットである。本実施の形態に係るキャビネット２００以外のキャビネット２０，３０の数は、特に限定されない。本実施の形態に係る収納ユニット１００では、幅方向の一方の端部における奥行き寸法は、第１の側板２１０の奥行寸法Ｄ１と略同じであり、幅方向の他方の端部における奥行き寸法は、第２の側板２２０の奥行寸法Ｄ２と略同じである。したがって、本実施の形態に係るキャビネット２００以外のキャビネット２０，３０の奥行きは、第１の側板２１０の奥行寸法Ｄ１または第２の側板２２０の奥行寸法Ｄ２と略同じである。ここで「奥行寸法が略同じ」とは、奥行寸法が同じか、ユーザーが視認したときに同一の奥行きと認識する程度の違いであることを意味する。
【００４４】
本実施の形態に係る収納ユニット１００では、奥行寸法が第１の側板２１０の奥行寸法Ｄ１と略同じキャビネット２０は、本実施の形態に係るキャビネット２００の第１の側板２１０側に配置される。同様に、奥行寸法が第２の側板２２０の奥行寸法Ｄ２と略同じキャビネット３０は、本実施の形態に係るキャビネット２００の第２の側板２２０側に配置される。
【００４５】
図７は、本実施の形態に係る収納ユニット１００における、キャビネットの配置例を示す平面図である。図７Ａに示されるように、本実施の形態に係るキャビネット２００は、奥行寸法が第１の側板２１０の奥行寸法Ｄ１と略同じキャビネット２０と、奥行寸法が第２の側板２２０の奥行寸法Ｄ２と略同じキャビネット３０との間に配置されていてもよい。
【００４６】
図７Ｂ，Ｃに示されるように、本実施の形態に係るキャビネット２００は、奥行寸法が第１の側板２１０の奥行寸法Ｄ１と略同じキャビネット２０、または奥行寸法が第２の側板２２０の奥行寸法Ｄ２と略同じキャビネット３０のいずれか一方のみと組み合わされていてもよい。この場合、本実施の形態に係るキャビネット２００は、収納ユニット１００の一方の端部に配置される。また、図７Ｃに示されるように、本実施の形態に係るキャビネット２００の横に、奥行寸法が略同じ冷蔵庫４０などを配置することで、冷蔵庫４０なども含めて一体感のある外観を創出することができる。
【００４７】
以上のように、本実施の形態に係る収納ユニット１００は、本実施の形態に係るキャビネット２００を利用することで、幅方向の両端における奥行き寸法が異なる収納ユニットでありながら、正面部に段差が見られないスッキリとした外観を実現することができる。すなわち、本実施の形態に係る収納ユニット１００は、各キャビネットの前面が滑らかに連続しているため、美観および安全性に優れている。
【産業上の利用可能性】
【００４８】
本発明に係るキャビネットを含む収納ユニットは、例えばキッチンカウンターと並列して設置される背面収納に好適である。
【符号の説明】
【００４９】
１０，２０，３０  キャビネット
１１，１２  側板
１３  正面扉
１４  背板
１５  棚板
１６  収納部
４０  冷蔵庫
１００  収納ユニット
２００，２００’  キャビネット
２１０  第１の側板
２２０  第２の側板
２３０  背板
２４０  天板
２５０  底板
２６０  正面扉
２６１，２８２  ヒンジ
２６２  正面部
２６３  接続部
２７０  棚板
２８０  収納部
２８１  フレーム
２８３  接続金具
Ｄ１，Ｄ２  奥行寸法
Ｕ  ユーザー
Ｗ  開口間口
【図１】
2014117502.tif 000003
【図２】
2014117502.tif 000004
【図３】
2014117502.tif 000005
【図４】
2014117502.tif 000006
【図５】
2014117502.tif 000007
【図６】
2014117502.tif 000008
【図７】
2014117502.tif 000009
【図８】
2014117502.tif 000010
【図９】
2014117502.tif 000011